(57)【要約】【課題】音響効果のＯＮ／ＯＦＦを確実に切り換えることのできる、エフェクトペダルを提供する。【解決手段】楽器に音響効果を与えるエフェクトペダル１である。エフェクトペダル１は、演奏者が足で踏んで操作するペダルプレート２と、ペダルプレート２の踏み込み量に応じて音響効果を与える回路部６と、ペダルプレート２を回転可能に支持するベース３と、ペダルプレート２に取り付けられるスイッチプレート４と、ペダルプレート２に取り付けられてスイッチプレート４が踏まれることで音響効果のＯＮ／ＯＦＦを切り換えるスイッチ５と、を備えている。【選択図】図１
2019023714.tif 000002
【特許請求の範囲】
【請求項１】
演奏者が足で踏んで操作するペダルプレートと、
前記ペダルプレートの踏み込み量に応じて音響効果を与える回路部と、
前記ペダルプレートを回転可能に支持するベースと、
前記ペダルプレートに取り付けられるスイッチプレートと、
前記ペダルプレートに取り付けられて前記スイッチプレートが踏まれることで音響効果のＯＮ／ＯＦＦを切り換えるスイッチと、を備えるエフェクトペダル。
【請求項２】
前記スイッチは、演奏者のかかとで操作できるように、前記ペダルプレートの前記ベースに対する回転軸の近傍の前記ペダルプレートに配置される、請求項１に記載されたエフェクトペダル。
【請求項３】
前記回路部は、前記ペダルプレートの第１の端部の踏み込み量に応じて音響効果を与えるように構成され、
前記スイッチは、前記ペダルプレートの前記ベースに対する回転軸に対して前記第１の端部とは反対側の第２の端部の近傍の前記ペダルプレートに配置される、請求項２に記載されたエフェクトペダル。
【請求項４】
前記スイッチプレートは、前記ペダルプレートにおける、前記ペダルプレートの前記ベースに対する回転軸とは反対側である先端近傍に回転可能に取り付けられる、請求項１乃至請求項３のいずれか一項に記載されたエフェクトペダル。
【請求項５】
前記エフェクトペダルは、前記音響効果として前記ペダルプレートの踏み込み量に応じて強調される周波数帯を変えるようにされているワウペダルである、請求項１乃至請求項４のいずれか一項に記載されたエフェクトペダル。
【発明の詳細な説明】
【技術分野】
【０００１】
本発明は、ギターを含む楽器に音響効果を与えるエフェクトペダルに関するものである。
【背景技術】
【０００２】
従来から、電気ギターなどのアンプを用いる楽器では、演奏中でも演奏者が音量調節や音質調節などの音響効果を与えることができるように、足で踏んで操作することができるエフェクトペダルが用いられている。
【０００３】
このエフェクトペダルは、ペダルプレートの踏み込み量（又は角度）に応じて音響効果を変化させるようになっている。そして、演奏中でも音響効果のＯＮ／ＯＦＦを切り換えることができるように、ペダルプレートを強く踏み込むことでＯＮ／ＯＦＦできるようにされているものが一般的である（例えば、特許文献１のフットスイッチ８）。
【先行技術文献】
【特許文献】
【０００４】
【特許文献１】実用新案登録第３１０３５５０号公報
【発明の概要】
【発明が解決しようとする課題】
【０００５】
しかしながら、従来のエフェクトペダルで音響効果のＯＮ／ＯＦＦを切り換えようとすると、音響効果を変化させる操作と同様のペダルプレートの足踏み操作であるため、操作を誤る場合があった。そのため、演奏者の意図するタイミングで音響効果を切り換えることができない、という問題があった。
【０００６】
そこで、本発明は、音響効果のＯＮ／ＯＦＦを確実に切り換えることのできる、エフェクトペダルを提供することを目的としている。
【課題を解決するための手段】
【０００７】
前記目的を達成するために、本発明のエフェクトペダルは、演奏者が足で踏んで操作するペダルプレートと、前記ペダルプレートの踏み込み量に応じて音響効果を与える回路部と、前記ペダルプレートを回転可能に支持するベースと、前記ペダルプレートに取り付けられるスイッチプレートと、前記ペダルプレートに取り付けられて前記スイッチプレートが踏まれることで音響効果のＯＮ／ＯＦＦを切り換えるスイッチと、を備えている。
【発明の効果】
【０００８】
このように、本発明のエフェクトペダルは、演奏者が足で踏んで操作するペダルプレートと、ペダルプレートの踏み込み量に応じて音響効果を与える回路部と、ペダルプレートを回転可能に支持するベースと、ペダルプレートに取り付けられるスイッチプレートと、ペダルプレートに取り付けられてスイッチプレートが踏まれることで音響効果のＯＮ／ＯＦＦを切り換えるスイッチと、を備えている。このように、スイッチプレートをペダルプレートとは別体として備えることで、スイッチプレートに足を載せる動作によって音響効果のＯＮ／ＯＦＦを確実に切り換えることができるようになる。
【図面の簡単な説明】
【０００９】
【図１】実施例のエフェクトペダルの斜視図である。
【図２】実施例のエフェクトペダルの分解斜視図である。白丸内はスイッチプレートを反転させた状態を示す。
【図３】実施例のエフェクトペダルの概略の断面図である。
【図４】実施例のエフェクトペダルの作用図である。
【図５】実施例のエフェクトペダルの作用図である。
【発明を実施するための形態】
【００１０】
以下、本発明の実施の形態について図面を参照して説明する。なお、以下の実施例では、電気ギター用のエフェクトペダルについて説明するが、これに限定されるものではなく、他の電気楽器にも本発明のエフェクトペダルを適用することができる。
【実施例】
【００１１】
（構成）
まず、図１、図２を用いて本発明のエフェクトペダル１の全体構成を説明する。エフェクトペダル１は、演奏者が足で踏んで操作するペダルプレート２と、ペダルプレート２の踏み込み量に応じて音響効果を与える回路部６と、ペダルプレート２を回転可能に支持するベース３と、ペダルプレート２に取り付けられるスイッチプレート４と、ペダルプレート２に取り付けられてスイッチプレート４が踏まれることで音響効果のＯＮ／ＯＦＦを切り換えるスイッチ５と、を備えている。
【００１２】
ペダルプレート２は、四角形の枠状の本体部２０と、本体部２０の内部にあってスイッチプレート４が嵌め込まれる四角形の開口部２１と、開口部２１の後端側の下方に一段下がって形成されてスイッチ５が取り付けられる板状のスイッチ台部２２と、本体部２０の後寄りの下部に配置されるヒンジ部２３と、を備えている。さらに、枠状の本体部２０の前方側の内側には、スイッチプレート４を回動自在に取り付けるための軸孔（不図示）が形成されている。したがって、ペダルプレート２は、後端寄りのヒンジ部２３を回転中心として回転できるようになっている。
【００１３】
ベース３は、下部が開口している箱状に形成されるものであり、側面から見ると後端側がやや下がった台形状に形成された本体部３０と、本体部３０の後寄りの上部に突出して形成されたヒンジ部３１と、後述するラックギヤ７０が挿通される孔３２と、を備えている。さらに、本体部３０の側面には、電源端子３０ａ及び出力端子３０ｂが設けられている。
【００１４】
回路部６は、電気回路（基盤）であり、ペダルプレート２の踏み込み量に応じて音響効果を与えるように構成されている。具体的に言うと、回路部６には、可変抵抗器７２と、スイッチ５と、が電気的に接続されている。そして、回路部６は、スイッチ５がＯＮになっていると、ペダルプレート２の踏み込み量に応じて音響効果を与えるが、スイッチ５がＯＦＦになっていると、ペダルプレート２を踏みこんでも音響効果を与えることはない。
【００１５】
踏み込み量に応じた音響効果の調整は、公知の可変抵抗器７２（ボリューム、ポット、ポテンショメーター）を使用することで達成できる。そして、ペダルプレート２、ラックギヤ７０、ピニオンギヤ７１、可変抵抗器７２の順にペダルプレート２の動きが伝達されて音響効果を調整するようになっている。このように、可変抵抗器７２は、電気・電子回路に接続して回路から出力される信号を変化させるために使用される。
【００１６】
ここにおいて、回路部６は、ギター用に中心周波数を移動させるような、いわゆる「エフェクター」に限定されるものではなく、エフェクトペダル１によって「音量」を変化させるような単純な電気回路であってもよい。すなわち、本発明は、広く音を構成する１つ又は複数のパラメータを変化させる用途に使用することができる。
【００１７】
なお、回路部６は、エフェクトペダル１と一体に構成された一体型のものや、回路部６を外部に備えているセパレートタイプものであってもよい。エフェクトペダル１が、回路部６と一体型の場合は、アンプと楽器の間に接続されるか、又は、アンプのみに接続されて使用される。エフェクトペダル１が回路部６とセパレートタイプのものは、回路部６に接続されて、その回路部６がアンプと楽器の間に接続されるか、又は、アンプのみに接続されて使用される。
【００１８】
スイッチプレート４は、四角形の板状のプレート部４０と、プレート部４０の前端近傍の下部に配置されたヒンジ部４１と、本体部４０の前寄りの下部に配置されたラックギヤ７０が取り付けられるラック取付部４２と、を備えている。さらに、本体部４０の上には、合成ゴム等からなる滑り止めが貼り付けられることも好ましい。したがって、スイッチプレート４は、前寄りのヒンジ部４１を中心として回転できるようになっている。なお、ラックギヤ７０は、ペダルプレート２に取り付けることもできる。
【００１９】
スイッチ５は、いわゆるリミットスイッチ又は押ボタンスイッチであり、ＯＮ／ＯＦＦ型のものやオルタネイト型のものなどを使用することができる。つまり、（スイッチ５を押している状態でＯＮ）／（押していない状態でＯＦＦ）とするものや、スイッチ５を押す度にＯＮ／ＯＦＦを順に切り換えるものを使用することができる。スイッチ５は、ペダルプレート２のスイッチ台部２２から上方に突出するように取り付けられる。スイッチ５は、演奏者のかかと９０で操作できるように、ペダルプレート２のベース３に対する回転軸の近傍（やや後寄り）のペダルプレート２に配置されている。したがって、スイッチプレート４に足を載せてかかと９０を置くと、スイッチ５がＯＮになる（図４、図５参照）。
【００２０】
（作用）
次に、図４、図５を用いて、本実施例のエフェクトペダル１の作用について説明する。
【００２１】
まず、図４（ａ）、（ｂ）には、かかとを支点としてペダルプレート２を操作する状態が説明されている。図４（ａ）に示すように、つま先側を浮かしてかかと９０側をスイッチプレート４に載せた状態では、スイッチ５がＯＮにされ、かつ、ペダルプレート２は踏み込まれていない状態となる。この状態は、音響効果を与える準備がされている待機状態であり、音響効果は与えられない。このように、エフェクトペダル１（のペダルプレート２（スイッチプレート４））に足を載せて全体に体重をかけただけで、エフェクトペダル１がＯＮにされる。
【００２２】
図４（ｂ）に示すように、かかと９０側をスイッチプレート４に載せた状態でつま先側を踏み込むと、スイッチ５がＯＮにされ、かつ、ペダルプレート２が踏み込まれている状態となる。この状態は、音響効果を与える状態である。実際の操作では、図４（ａ）と図４（ｂ）の間で、かかと９０を支点にしてつま先を上下させ、音響効果に強弱をつけるような操作となる。例えば、いわゆる「ワウペダル」の場合には、可変抵抗器７２が正逆回転することによって、文字通りペダルを踏んだとおりに「ワウ・ワウ」と鳴ることとなる。すなわち、踏み込まれたペダルプレート２の位置に応じて音質が変化するようになる。
【００２３】
次に、図５には、かかと９０を上げてＯＮ／ＯＦＦを切り換える状態が説明されている。図５に示すように、つま先側を踏みこんでかかと９０側をスイッチプレート４から浮かせた状態では、スイッチ５がＯＦＦにされ、かつ、ペダルプレート２は踏み込まれた状態となる。この状態は、停止状態であり、音響効果は与えられない。すなわち、エフェクトペダル１のペダルプレート２に足を載せつつも、かかとを浮かせることでスイッチ５が押されないため、エフェクトペダル１がＯＦＦにされる。この後、さらにかかと９０をスイッチプレート４に載せると、スイッチ５がＯＮにされて、音響効果が再開される。
【００２４】
（効果）
次に、本実施例のエフェクトペダル１の奏する作用・効果を列挙して説明する。
【００２５】
（１）上述してきたように、本発明のエフェクトペダル１は、演奏者が足で踏んで操作するペダルプレート２と、ペダルプレート２の踏み込み量に応じて音響効果を与える回路部６と、ペダルプレート２を回転可能に支持するベース３と、ペダルプレート２に取り付けられるスイッチプレート４と、ペダルプレート２に取り付けられてスイッチプレート４が踏まれることで音響効果のＯＮ／ＯＦＦを切り換えるスイッチ５と、を備えている。このように、スイッチプレート４をペダルプレート２とは別体として備えることで、スイッチプレート４に足を載せる動作によって音響効果のＯＮ／ＯＦＦを確実に切り換えることができるようになる。
【００２６】
（２）また、スイッチ５は、演奏者のかかと９０で操作できるように、ペダルプレート２のベース３に対する回転軸の近傍のペダルプレート２に配置されている。このような構成であるため、演奏者がペダルプレート２に体重をかけることで、かかと９０によってスイッチ５を押すことができる。さらに、つま先を自由にすることができる。
【００２７】
（３）さらに、回路部６は、ペダルプレート２の第１の端部（実施例では前端部）の踏み込み量に応じて音響効果を与えるように構成され、スイッチ５は、ペダルプレート２のベース３に対する回転軸に対して第１の端部（前端部）とは反対側の第２の端部（後端部）の近傍のペダルプレート２に配置されている。このような構成であるため、かかと９０を載せた状態で、つま先によってペダルプレート２を操作することができるようになる。
【００２８】
（４）また、スイッチプレート４は、ペダルプレート２における、ペダルプレート２のベース３に対する回転軸とは反対側である先端近傍に回転可能に取り付けられている。このような構成であるため、つま先をスイッチプレート４に載せ、かつ、かかと９０を浮かす状態でも、音響効果をＯＦＦにできる。
【００２９】
（５）さらに、エフェクトペダル１は、音響効果としてペダルプレート２の踏み込み量に応じて強調される周波数帯を変えるようにされているワウペダルであることが好ましい。
【００３０】
以上、図面を参照して、本発明の実施例を詳述してきたが、具体的な構成は、この実施例に限らず、本発明の要旨を逸脱しない程度の設計的変更は、本発明に含まれる。
【００３１】
例えば、実施例では、ラックギヤ７０を用いて可変抵抗器７２を回転させて音響効果を調整する場合について説明したが、これに限定されるものではなく、光センサ等を用いて音響効果を調整するものにも本発明を適用できる。
【００３２】
また、実施例では、スイッチ５をペダルプレート２に取り付ける場合について説明したが、これに限定されるものではなく、スイッチ５は、ベース３に取り付けられていてもよい。
【符号の説明】
【００３３】
１          エフェクトペダル
２          ペダルプレート
２０        本体部
２１        開口部
２２        スイッチ台部
２３        ヒンジ部
３          ベース
３０        本体部
３１        ヒンジ部
３２        孔
４          スイッチプレート
４０        プレート部
４１        ヒンジ部
４２        ラック取付部
５          スイッチ
６          回路部
７０        ラックギヤ
７１        ピニオンギヤ
７２        可変抵抗器
【図１】
2019023714.tif 000003
【図２】
2019023714.tif 000004
【図３】
2019023714.tif 000005
【図４】
2019023714.tif 000006
【図５】
2019023714.tif 000007